(57)【要約】【課題】直流パワーサプライパワーモジュールに用いられるアダプタープレート構造を提供する。【解決手段】本考案のアダプタープレート構造において直流パワーサプライはシャーシを有する。シャーシ内にメイン回路コントロールパネル、少なくとも１個のパワーモジュールが設置される。パワーモジュールの片側にサブ回路コントロールパネルが設置される。サブ回路コントロールパネル上に入力スロット１１、出力スロット１２が設置され、コントロールケーブルが挿入される。パワーモジュールの反対側にアダプタープレート１０が設置される。アダプタープレート１０上に入力スロット１１、出力スロット１２が設置され、コントロールケーブルが挿入される。パワーモジュールはアダプタープレート１０を通して電気的に相互に接続する。アダプタープレート１０は遮蔽及び導風作用を兼ね備え、ノイズと電磁干渉を隔離し、放熱効果を高める。【選択図】図５
0003221909.tif 000002
【実用新案登録請求の範囲】
【請求項１】
シャーシと、アダプタープレートとを有し、
前記シャーシ内には、メイン回路コントロールパネル及び少なくとも１個のパワーモジュールが設置され、
前記メイン回路コントロールパネル上には、第一出力スロットが設置され、
前記パワーモジュールの、前記メイン回路コントロールパネルに隣り合う片側には、縦方向に立板が設置され、前記立板上には、サブ回路コントロールパネルが設置され、
前記サブ回路コントロールパネル上には、第二入力スロットと、第二出力スロットとが設置され、前記第二入力スロットと、前記第二出力スロットとには、それぞれコントロールケーブルが挿入され、
前記アダプタープレートは、
前記パワーモジュールに対応し、前記パワーモジュールの反対側に縦方向に設置され、
前記パワーモジュールの片側をカバーする大きさを有し、
しかも前記アダプタープレート上の、前記サブ回路コントロールパネルに相対する位置には、第三入力スロットと、第三出力スロットとが設置され、
これにより、前記第三入力スロット及び前記第三出力スロットには、各前記コントロールケーブルが挿入され、前記アダプタープレート上には、銅箔が設置され、前記アダプタープレートの２個の内の１個の面は、前記銅箔に覆われることを特徴とする直流パワーサプライ。
【請求項２】
前記アダプタープレートは、印刷回路板により構成されることを特徴とする請求項１に記載の直流パワーサプライ。
【請求項３】
前記アダプタープレートの頂面には、前記第二入力スロット、及び前記第二出力スロット位置にそれぞれ対応する欠口が設置され、
これにより各前記コントロールケーブルは各前記欠口を跨ぐことを特徴とする請求項１に記載の流パワーサプライ。
【請求項４】
前記コントロールケーブルは、扁平の配線で、しかも熱収縮ケーシングにより覆われていることを特徴とする請求項１に記載の直流パワーサプライ。
【請求項５】
前記パワーモジュールは、下方にベースを有し、
前記ベースの片側は、縦方向に上方へと結合固定板が延伸され、
前記アダプタープレートは、前記結合固定板上に結合固定されることを特徴とする請求項１に記載の直流パワーサプライ。
【考案の詳細な説明】
【技術分野】
【０００１】
本考案は直流パワーサプライに関し、特にパワーモジュールに用いられるアダプタープレート構造に特徴を有する直流パワーサプライに関する。
【背景技術】
【０００２】
クライアントのニーズに応えるため、従来の直流パワーサプライには、さまざまな銘板出力パワーがある。
しかし、銘板出力パワーが違うパワーサプライを、一機種ずつ開発していては、コストが高くなり過ぎ、コストパフォーマンスも悪くなる。
そのため、図１に示す通り、業者はしばしば同一のシャーシ１を用い、単一出力パワーのパワーモジュール２を開発する。
図２に示す通り、パワーモジュール２底部には、ベース３を設置し、前端には、ファン４が設置され、反対側には、縦方向に立板５が設置される。
回路板６は、立板５上に固定され、パワーサプライが必要な銘板出力パワーに応じて、必要な数量のパワーモジュール２がシャーシ１内に対応して取り付けられる。
図３に示す通り、シャーシ１内に３組のパワーモジュール２が取り付けられ、各パワーモジュール２の回路板３はみな、それぞれ等しい長さのコントロールケーブル７を通して隣接する回路板と直列接続され、さらにメイン回路板８に接続し、各パワーモジュール２の直列接続により、必要な銘板の出力パワーを提供する。
例えば、パワーモジュール２の出力パワーが５ｋｗである場合、直流パワーサプライに３組のパワーモジュール２を取り付ける時には、その銘板出力パワーは１５ｋｗである。
【０００３】
しかし、直流パワーサプライの銘板出力パワーが５ｋｗ或いは１０ｋｗである場合には、シャーシ１内には、１組のパワーモジュール２或いは２組のパワーモジュール２だけが取り付けられ、直列接続される。
この時、シャーシ１の空間内は、パワーモジュール２の設置で満たされていないため、シャーシ１の重心を維持するために、パワーモジュール２の、シャーシ１内での取り付け位置を調整する必要がある。
図４に示す通り、シャーシ１内に２組のパワーモジュール２だけを取り付ける時には、各パワーモジュール２を、シャーシ１左右両側に寄せて取り付け、シャーシ１の重心を維持する。
この時、各パワーモジュール２中央には空間が生じ、もともとのコントロールケーブル７は、各パワーモジュール２の回路板６を通して相互に直列接続できなくなる。
これにより、パワーモジュール２は、長さが異なるコントロールケーブル９により相互に接続する必要が生じ、構造が複雑になって配線上の面倒を引き起こすばかりか、パワーサプライの出力品質も低下し、メンテナンスは不便となる。
よって、２個の内の１個のパワーモジュール２の片側は、シャーシ１中央の空間により遮蔽するものがなくなり、パワーモジュール２の冷却ファンの冷却風は外へと散逸してしまう。
これにより、パワーモジュール２の放熱効果に悪影響を及ぼす。
【考案の概要】
【考案が解決しようとする課題】
【０００４】
前記先行技術には、長さが異なるコントロールケーブルにより相互に接続する必要が生じるため、複雑な配線構造により、パワーサプライの出力品質も低下し、メンテナンスは不便となり、さらにパワーモジュールの冷却ファンの冷却風が外へと散逸してしまうため、パワーモジュールの放熱効果に悪影響を及ぼすという欠点がある。
【課題を解決するための手段】
【０００５】
本考案はパワーサプライの配線をシンプルにする他に、ノイズと電磁干渉を隔離する遮蔽効果を兼ね備え、パワーモジュール放熱効果を高める導風効果を備える、パワーモジュールに用いられるアダプタープレート構造を有する直流パワーサプライに関する。
【０００６】
本考案が提供する直流パワーサプライは、シャーシ、アダプタープレートを有する。
該シャーシ内には、メイン回路コントロールパネル及び少なくとも１個のパワーモジュールが設置され、該メイン回路コントロールパネル上には、出力スロットが設置され、該パワーモジュールの、該メイン回路コントロールパネルに隣り合う片側には、縦方向に立板が設置され、該立板上には、サブ回路コントロールパネルが設置され、該サブ回路コントロールパネル上には、第二入力スロットと、第二出力スロットとが設置され、これにコントロールケーブルがそれぞれ挿入される。
該アダプタープレートは、該パワーモジュールに対応し、縦方向に該パワーモジュールの反対側に設置され、該パワーモジュールの片側をカバーする大きさを有し、しかも該アダプタープレート上の、該サブ回路コントロールパネルに相対する位置には、第三入力スロットと、第三出力スロットとが設置される。
これにより、該入力スロット及び該出力スロットには、該コントロールケーブルが挿入され、該アダプタープレート上には、銅箔が設置され、該アダプタープレートの２個の内の１個の面は、該銅箔に覆われる。
【０００７】
本考案が提供する直流パワーサプライは、該アダプタープレートを通して該パワーモジュールの片側に設置され、しかも該アダプタープレート上には、該第二入力スロット及び該第二出力スロットが設置され、これに該コントロールケーブルが挿入される。
これにより、該メイン回路コントロールパネルと該パワーモジュールは、該アダプタープレートを通して相互に接続し、しかも該パワーモジュールを遮蔽し、ノイズと電磁干渉を隔離でき、冷却ファンの導風作用も提供し、パワーモジュールの放熱効果を高めることができる。
【図面の簡単な説明】
【０００８】
【図１】従来の直流パワーサプライの斜視図である。
【図２】従来の直流パワーサプライのパワーモジュールの斜視図である。
【図３】従来の直流パワーサプライにおいて、シャーシ内に３組のパワーモジュールが取り付けられ、フルロードを形成した状態を示す斜視図である。
【図４】従来の直流パワーサプライシャーシ内に２組のパワーモジュールが取り付けられ、中央の空間を形成した状態を示す斜視図である。
【図５】本考案の直流パワーサプライの実施形態の斜視図である。
【図６】本考案の直流パワーサプライの実施形態の正面図である。
【図７】本考案の直流パワーサプライのアダプタープレートがパワーモジュールに取り付けられた状態を示す斜視図である。
【図８】本考案の直流パワーサプライのシャーシ内に２組のパワーモジュールが取り付けられた時の使用状態を示した斜視図である。
【図９】本考案の直流パワーサプライのシャーシ内に１組のパワーモジュールが取り付けられた時の使用状態を示した斜視図である。
【考案を実施するための形態】
【０００９】
（一実施形態）
本考案の直流パワーサプライの実施形態の立体図及び前視図である図５及び図６に示す通り、本考案の直流パワーサプライは、アダプタープレート１０、シャーシ２０を有する。
【００１０】
アダプタープレート１０は、印刷回路板により構成され、その後端上方には、第二入力スロット１１、第二出力スロット１２を設置する。
しかも、アダプタープレート１０頂面には、第二入力スロット１１、第二出力スロット１２位置に対応し、欠口１３を設置する。
アダプタープレート１０下方には、複数の結合固定孔１４を設置する。
アダプタープレート１０上則には、銅箔１５を設置する。
銅箔１５は、アダプタープレート１０の背面に接着され、これによりアダプタープレート１０は、銅箔１５に覆われて遮蔽作用を形成する。
【００１１】
本考案のアダプタープレートをパワーモジュールに取り付ける立体図である図７に示す通り、パワーモジュール４０下方には、金属材質のベース４１を有する。
ベース４１の片側は、縦方向に上方へと、同様に金属材質である立板４１１を延伸する。
立板４１１上には、サブ回路コントロールパネル５０を設置する。
ベース４１の反対側は、縦方向に上方へと結合固定板４１２を延伸する。
アダプタープレート１０は、結合固定孔１４により、結合固定板４１２上に結合固定され、しかもアダプタープレート１０の大きさは、パワーモジュール４０の片側をカバーする。
これにより、パワーモジュール４０両側は、それぞれ立板４１１及びアダプタープレート１０により遮蔽作用が形成され、ノイズと電磁干渉を隔離する。
パワーモジュール４０前方には、冷却ファン４２を有し、冷却ファン４２は、立板４１１及びアダプタープレート１０の導風作用により、冷却ファン４２が送出する冷却風が外へと拡散することはなく、パワーモジュール４０上に集中し、さらに優れた放熱効果を達成する。
【００１２】
本考案の直流パワーサプライの第一実施形態の使用模式図である図８は、シャーシ２０に、２組だけのパワーモジュール４０を取り付ける時の使用模式図である。
シャーシ２０内には、メイン回路コントロールパネル３０及び２個のパワーモジュール４０を設置する。
メイン回路コントロールパネル３０上には、第一出力スロット３１を設置する。
各パワーモジュール４０は、シャーシ１０の左右両側にそれぞれ設置し、これによりシャーシ１０全体の重さはバランスが取れるが、シャーシ２０中央には、空間が形成される。
メイン回路コントロールパネル３０の第一出力スロット３１には、接続ケーブル３２を挿入して設置する。
接続ケーブル３２の反対端は、２個の内の１個のサブ回路コントロールパネル５０の第三入力スロット５１に挿入して設置される。
続いて、さらにコントロールケーブル６０の一端を通して、サブ回路コントロールパネル５０の第三出力スロット５２に挿入して設置される。
コントロールケーブル６０の反対端は、欠口１３を跨ぎ、アダプタープレート１０の第二入力スロット１１に挿入して設置される。
続いて、さらにもう１個のコントロールケーブル６０の一端を通して、アダプタープレート１０の第一出力スロット１２に挿入して設置され、反対端は、もう１個のサブ回路コントロールパネル５０の第三入力スロット５１に接続する。
これにより、メイン回路コントロールパネル３０は、各パワーモジュール４０と電気的に接続し、メイン回路コントロールパネル３０は、各パワーモジュール４０を駆動でき、パワーサプライは、各パワーモジュール４０を通して整流直列接続後、各パワーモジュール４０のパワーを合計したパワーが出力される。
【００１３】
各パワーモジュール４０の間の間隔距離は相同であるため、各コントロールケーブル６０の長さはみな一致し、しかも各サブ回路コントロールパネル５０とアダプタープレート１０の間は、それぞれコントロールケーブル６０を通して接続されるため、シャーシ１０内の配線の配列は整然と整い、メンテナンス或いは交換に便利である。
コントロールケーブル６０は、扁平の配線で、しかもコントロールケーブル６０の外周は、熱収縮ケーシング６１により覆われており、コントロールケーブル６０の耐圧絶縁効果を高めることができる。
【００１４】
パワーモジュール４０両側には、それぞれ立板４１１及びアダプタープレート１０を設置し、導風板作用を形成する。
これにより、冷却ファン４２が送出する冷却風は、立板４１１及びアダプタープレート１０に制限され、外へと拡散することはなく、パワーモジュール４０上に集中するため、さらに優れた放熱効果を達成する。
【００１５】
立板４１１は、金属材質で、アダプタープレート１０内には、金属材質の銅箔を設置するため、パワーモジュール４０両側には、安全な遮蔽が形成され、ノイズと電磁干渉を隔離することができる。
【００１６】
本考案の第二実施形態の使用模式図である図９は、シャーシ２０内に、１組だけのパワーモジュール４０を取り付ける時の使用模式図である。
パワーモジュール４０は、シャーシ２０の中央位置に設置され、これによりシャーシ２０全体の重さはバランスが取れ、電気的接続時に、パワーモジュール４０は、同様にコントロールケーブル６０によりメイン回路コントロールパネル３０に接続され、電気的接続を形成する。
同時に、パワーモジュール４０は、アダプタープレート１０の設置により、同様に導風及び遮蔽効果を形成する。
【００１７】
前述した本考案の実施形態は本考案を限定するものではなく、よって、本考案により保護される範囲は実用新案登録請求の範囲を基準とする。
【符号の説明】
【００１８】
１    シャーシ（従来技術）、
２    パワーモジュール（従来技術）、
３    ベース（従来技術）、
４    ファン（従来技術）、
５    立板（従来技術）、
６    回路板（従来技術）、
７    コントロールケーブル（従来技術）、
８    メイン回路板（従来技術）、
９    コントロールケーブル（従来技術）、
１０    アダプタープレート、
１１    第二入力スロット、
１２    第二出力スロット、
１３    欠口、
１４    結合固定孔、
１５    銅箔、
２０    シャーシ、
３０    メイン回路コントロールパネル、
３１    第一出力スロット、
３２    接続ケーブル、
４０    パワーモジュール、
４１    ベース、
４１１  立板、
４１２  結合固定板、
５０    サブ回路コントロールパネル、
５１    第三入力スロット、
５２    第三出力スロット、
６０    コントロールケーブル、
６１    熱収縮ケーシング。
【図１】
0003221909.tif 000003
【図２】
0003221909.tif 000004
【図３】
0003221909.tif 000005
【図４】
0003221909.tif 000006
【図５】
0003221909.tif 000007
【図６】
0003221909.tif 000008
【図７】
0003221909.tif 000009
【図８】
0003221909.tif 000010
【図９】
0003221909.tif 000011